(57)【要約】【課題】天井の揺れを吸収して、天井設備物の損傷、天井材の損壊・落下を防ぐことができる建物天井の構造を提供する。【解決手段】建物天井の構造において、躯体天面１３に固定されるシャッター装置１５等の天井設備物と、躯体天面１３に吊りボルト３１により支持されて天井３３を構成し天井設備物に対し端縁部３７が所定の間隔の天井揺れ変位吸収間隙３９を隔てて配置される天井材１１と、天井設備物と端縁部３７との間に天井３３と平行に設けられ天井揺れ変位吸収間隙３９の拡縮を許容して天井揺れ変位吸収間隙３９を覆う変位吸収間隙塞ぎ部材と、を設けた。変位吸収間隙塞ぎ部材は、シート材４１とすることができる。シート材４１は、天井設備物側縁部４３が天井設備物に固定されるとともに天井材側縁部４５が端縁部３７に接して天井設備物と天井３３との間に張架されることが好ましい。【選択図】  図１
2015086582.tif 000002
【特許請求の範囲】
【請求項１】
躯体天面に固定される天井設備物と、
前記躯体天面に吊りボルトにより支持されて天井を構成し前記天井設備物に対し端縁部が所定の間隔の天井揺れ変位吸収間隙を隔てて配置される天井材と、
前記天井設備物と前記端縁部との間に前記天井と平行に設けられ前記天井揺れ変位吸収間隙の拡縮を許容して前記天井揺れ変位吸収間隙を覆う変位吸収間隙塞ぎ部材と、
を具備することを特徴とする建物天井の構造。
【請求項２】
請求項１記載の建物天井の構造であって、
前記変位吸収間隙塞ぎ部材がシート材からなり、
前記シート材は、天井設備物側縁部が前記天井設備物に固定されるとともに天井材側縁部が前記端縁部に接して前記天井設備物と前記天井との間に張架されていることを特徴とする建物天井の構造。
【請求項３】
請求項２記載の建物天井の構造であって、
前記シート材が透明材料または半透明材料からなり、
前記天井設備物には前記シート材を照明する照明装置が取り付けられていることを特徴とする建物天井の構造。
【請求項４】
請求項１記載の建物天井の構造であって、
前記変位吸収間隙塞ぎ部材が前記天井材と同一材料の間隙塞ぎ用天井材からなり、
前記間隙塞ぎ用天井材は、前記躯体天面に吊りボルトにより支持されて天井設備物側縁部が前記天井設備物に当接されるとともに天井材側縁部が前記端縁部に摺動自在に重ねられていることを特徴とする建物天井の構造。
【請求項５】
請求項１記載の建物天井の構造であって、
前記変位吸収間隙塞ぎ部材が前記天井設備物に付設されるまぐさであり、
前記まぐさは、前記天井と平行に延出して前記端縁部に摺動自在に重ねられるまぐさ延出板部を有していることを特徴とする建物天井の構造。
【発明の詳細な説明】
【技術分野】
【０００１】
本発明は、建物天井の構造に関する。
【背景技術】
【０００２】
ショッピングモールやスーパーマーケット、デパート・百貨店などの商業施設や、娯楽施設、工場などの天井には、建物躯体、例えば躯体天面等に固定されるシャッター装置、防煙垂幕、防煙垂壁、エアコン等の空調装置、照明装置、モニターディスプレイ、天井点検口などの天井設備物の設けられることが多い。これらの天井設備物が設けられる天井は、躯体天面に吊りボルト等で天井材を支持する構造である軽量天井、所謂吊り天井が一般に用いられる。
【先行技術文献】
【特許文献】
【０００３】
【特許文献１】特開２００３−２６２０８１号公報
【発明の概要】
【発明が解決しようとする課題】
【０００４】
しかしながら、地震などが発生すると、吊り天井は、吊りボルトで吊り下げ状態で支持されているため、地震の揺れに伴い揺れ動き、建物側に固定されている各種天井設備物に衝突する虞がある。天井設備物が例えば特許文献１等に開示される耐火シートシャッター（シャッター装置）である場合には、シャッターカーテンの出入口の幅方向に延在するまぐさが、天井材の衝突によって、変形を起こす。シャッターカーテンの出入口の縁部分であるまぐさが変形すると、このスリット状の出入口が狭まってしまいシャッターカーテンを降下させることができなくなる。シャッター装置には、地震後の火災発生に応じ、自動で降下して防火区画を構成しなければならないものもある。この場合、上記の変形によって降下が妨げられれば、防火区画の構成が困難となる虞がある。また、シャッターカーテンが閉鎖している状態で上記のようなまぐさの変形が起きれば、シャッターカーテンの上昇が困難となり、建物開口の開放が行えなくなる虞がある。これに対し、天井材の端縁部とシャッター装置の間にクリアランスを設ければ、まぐさに天井移動時の荷重が加わらないようにできるが、天井としての意匠が損なわれる問題が生じる。
また、天井の揺れにより、天井設備物に天井材が衝突して損壊し、天井材が落下する虞がある。また、損壊した天井材が落下して床面に散乱すれば、避難の妨げとなったり、店舗等施設の再開に支障を来したりする。
【０００５】
本発明は上記状況に鑑みてなされたもので、その目的は、天井の揺れを吸収して、天井設備物の損傷を防ぎ、天井材の損壊・落下を防ぐことができる建物天井の構造を提供することにある。
【課題を解決するための手段】
【０００６】
次に、上記の課題を解決するための手段を、実施の形態に対応する図面を参照して説明する。
本発明の請求項１記載の建物天井の構造は、躯体天面１３に固定される天井設備物１５，６１と、
前記躯体天面１３に吊りボルト３１により支持されて天井３３を構成し前記天井設備物１５，６１に対し端縁部３７が所定の間隔の天井揺れ変位吸収間隙３９を隔てて配置される天井材１１と、
前記天井設備物１５，６１と前記端縁部３７との間に前記天井３３と平行に設けられ前記天井揺れ変位吸収間隙３９の拡縮を許容して前記天井揺れ変位吸収間隙３９を覆う変位吸収間隙塞ぎ部材４１，６９，７３と、
を具備することを特徴とする。
【０００７】
この建物天井の構造では、躯体天面１３に固定された天井設備物１５，６１と、天井材１１の端縁部３７との間に、天井揺れ変位吸収間隙３９が形成されている。地震によって天井材１１からなる天井全体が吊りボルト３１を支点として揺れた際、天井材１１の端縁部３７は、天井揺れ変位吸収間隙３９の間を、天井設備物１５，６１に対して接近・離反する方向に移動する。つまり、端縁部３７の変位が天井揺れ変位吸収間隙３９によって吸収されて、端縁部３７の天井設備物１５，６１に対する衝突が回避可能となっている。
この天井揺れ変位吸収間隙３９は、変位吸収間隙塞ぎ部材４１，６９，７３によって覆われている。変位吸収間隙塞ぎ部材４１，６９，７３は、天井３３の揺れに伴う天井揺れ変位吸収間隙３９の拡縮を許容可能としている。これにより、天井揺れ変位吸収間隙３９が開放状態となることによる見栄えが低下しにくい。
【０００８】
本発明の請求項２記載の建物天井の構造は、請求項１記載の建物天井の構造であって、
前記変位吸収間隙塞ぎ部材がシート材４１からなり、
前記シート材４１は、天井設備物側縁部４３が前記天井設備物１５，６１に固定されるとともに天井材側縁部４５が前記端縁部３７に接して前記天井設備物１５，６１と前記天井３３との間に張架されていることを特徴とする。
【０００９】
この建物天井の構造では、シート材４１が、天井揺れ変位吸収間隙３９を覆っている。シート材４１としては例えば樹脂シート等が好適となる。シート材４１は、剛体である金属板等に比べ可撓性が大きく、且つ比重が小さい。シート材４１は、天井設備物１５，６１と端縁部３７とに張架されているので、通常時には平面状となって、見栄えが低下しにくい。地震発生時には、天井揺れ変位吸収間隙３９の拡縮に追従して変形が可能となる。天井揺れ変位吸収間隙３９の拡縮に追従した後は、再び平面状に戻るので、再利用が可能となる。
【００１０】
本発明の請求項３記載の建物天井の構造は、請求項２記載の建物天井の構造であって、
前記シート材４１が透明材料または半透明材料からなり、
前記天井設備物１５，６１には前記シート材４１を照明する照明装置５９が取り付けられていることを特徴とする。
【００１１】
この建物天井の構造では、天井設備物１５，６１に取り付けられた照明装置５９が点灯され、シート材４１が上面である裏側から照らされると、照明光がシート材４１を透過し、シート材４１の下面、すなわち天井面と略同一面となったシート材下面を明るくすることができる。これにより、例えば避難方向のサイン等を表示させることが可能となる。
【００１２】
本発明の請求項４記載の建物天井の構造は、請求項１記載の建物天井の構造であって、
前記変位吸収間隙塞ぎ部材が前記天井材１１と同一材料の間隙塞ぎ用天井材６９からなり、
前記間隙塞ぎ用天井材６９は、前記躯体天面１３に吊りボルト３１により支持されて天井設備物側縁部４３が前記天井設備物１５，６１に当接されるとともに天井材側縁部４５が前記端縁部３７に摺動自在に重ねられていることを特徴とする。
【００１３】
この建物天井の構造では、天井揺れ変位吸収間隙３９が、天井材１１と同一材料からなる間隙塞ぎ用天井材６９によって塞がれる。間隙塞ぎ用天井材６９は、吊りボルト３１によって躯体天面１３に支持される。間隙塞ぎ用天井材６９は、天井設備物側縁部４３が天井設備物１５，６１に当接した状態で吊り下げられている。一方、間隙塞ぎ用天井材６９の天井材側縁部４５は、天井材１１の端縁部３７に、摺動自在に重ねられている。これにより、天井材１１が揺れた際には、端縁部３７が、間隙塞ぎ用天井材６９と平行に摺動し、間隙塞ぎ用天井材６９及び天井材１１が損壊しにくくなる。
【００１４】
本発明の請求項５記載の建物天井の構造は、請求項１記載の建物天井の構造であって、
前記変位吸収間隙塞ぎ部材が前記天井設備物１５，６１に付設されるまぐさ７５であり、
前記まぐさ７５は、前記天井３３と平行に延出して前記端縁部３７に摺動自在に重ねられるまぐさ延出板部７３を有していることを特徴とする。
【００１５】
この建物天井の構造では、天井設備物に取り付けられるまぐさ７５の一部分が、天井３３と平行に延出してまぐさ延出板部７３となっている。まぐさ延出板部７３の延出端は、天井材１１の端縁部３７に対して摺動自在に重ねられている。これにより、天井材１１が揺れた際には、端縁部３７がまぐさ延出板部７３と平行に摺動し、まぐさ７５及び天井材１１が損壊しにくくなる。
【発明の効果】
【００１６】
本発明に係る請求項１記載の建物天井の構造によれば、天井の揺れを吸収して、天井設備物の損傷を防ぐことができ、また、天井材の損壊・落下を防ぐことができる。
【００１７】
本発明に係る請求項２記載の建物天井の構造によれば、変位吸収間隙塞ぎ部材を軽量化できる。
【００１８】
本発明に係る請求項３記載の建物天井の構造によれば、天井揺れ変位吸収間隙の有効利用が可能となり、天井に例えば非常灯などの明かりを確保できる。
【００１９】
本発明に係る請求項４記載の建物天井の構造によれば、変位吸収間隙塞ぎ部材が、天井材と同一材料を用いた間隙塞ぎ用天井材となり、違和感を生じにくくして、天井の見栄えを良くすることができる。
【００２０】
本発明に係る請求項５記載の建物天井の構造によれば、変位吸収間隙塞ぎ部材の設置がまぐさの形状変更で対応可能となり、部材コスト、施工コストを安価にすることができる。
【図面の簡単な説明】
【００２１】
【図１】本発明の実施形態に係る建物天井の構造を表す断面図である。
【図２】図１の要部拡大図である。
【図３】図１に示した建物天井の構造の動作説明図である。
【図４】照明装置が設けられた変形例に係る建物天井の構造を表す断面図である。
【図５】天井設備物を挟み両側に天井が設けられる変形例に係る建物天井の構造を表す断面図である。
【図６】天井設備物が天井埋込型空調機の場合の変形例に係る建物天井の構造を表す断面図である。
【図７】変位吸収間隙塞ぎ部材が間隙塞ぎ用天井材である変形例に係る建物天井の構造を表す断面図である。
【図８】変位吸収間隙塞ぎ部材がまぐさ延出板部である変形例に係る建物天井の構造を表す断面図である。
【発明を実施するための形態】
【００２２】
以下、本発明に係る実施形態を図面を参照して説明する。
図１は本発明の実施形態に係る建物天井の構造を表す断面図、図２は図１の要部拡大図である。
本実施形態に係る建物天井の構造は、天井設備物と、天井材１１と、変位吸収間隙塞ぎ部材と、を有する。
【００２３】
［天井設備物］
天井設備物は、躯体天面１３に固定される。本実施形態において、天井設備物は、シャッター装置１５である。シャッター装置１５は、防火区画となる建物内部の開口部の上方に、開閉体としてのシャッターカーテン２１の幅方向である左右方向に延出する巻取シャフト１７が軸架されている。シャッター装置１５は、開閉機１９の作動で巻取シャフト１７が正逆駆動され、シャッターカーテン２１が開口部の左右に立設されたガイドレール２３に左右両端部を案内されながら昇降し開口部を開閉するようになっている。本実施形態では、躯体天面１３に連続する下り壁などの壁部２５にシャッター取付下地が固着され、シャッター取付下地には一対のブラケット２７が左右側に取付けられる。これらブラケット２７の間に、巻取シャフト１７が軸架されている。シャッターカーテン２１を巻き取る巻取シャフト１７は、収容ケース２９によって覆われる。なお、本明細書中においては、シャッター装置１５の開閉体であるシャッターカーテン２１の厚さ方向とは、全閉状態のシャッターカーテン２１の厚さ方向を意味し、シャッターカーテン２１の幅方向とは、シャッターカーテン２１の開閉方向と略直交する方向であって、シャッターカーテン２１の厚さ方向ではない方向を意味する。説明を分かり易くするための便宜上の表現として、シャッターカーテン幅方向を左右方向と表現することもあり、またシャッターカーテン厚さ方向を前後方向と表現することもある。また、説明の便宜上、本明細書中、前後方向において、図１に示す巻取シャフト１７に対する壁部２５の側を前側や前方向、この前側と反対の側を後側や後方向と表現することとする。もちろん前側や後側は相対的なものであって、図１に示す巻取シャフト１７に対する壁部２５の側を後側と表現してもよい。
【００２４】
なお、天井設備物としては、シャッター装置１５の他、建物構造物、防煙垂壁、空調機器、照明装置、モニターディスプレイ、天井点検口などであってもよい。
【００２５】
［天井材］
天井材１１は、躯体天面１３に吊りボルト３１により複数枚のものが支持されて、天井３３を構成する。天井材１１は、例えば軽量天井下地に貼設される。軽量天井下地は、吊りボルト３１の下端に調節ハンガー（図示略）が設けられ、調節ハンガーが平行な複数の野縁受けチャンネル３５を支持する。それぞれの野縁受けチャンネル３５の下面には、平行な複数の野縁チャンネル（図示略）がクリップによって直交方向に支持される。この野縁チャンネルの下面に、天井材１１が面状に貼られる。天井材１１としては、化粧合板、繊維板、ロックウール板、石膏ボード、アルミニウムやステンレス等の金属板を用いることができる。なお、上記吊りボルト３１とは、説明を分かり易くするための便宜上の表現であって、吊りボルトのみならず、例えば金属製の棒状部材のような、天井材１１を吊って支持することに耐えられる程度の強度を有する長尺の部材を意味している。
【００２６】
建物天井の構造では、シャッター装置１５に対し、天井材１１のシャッターカーテン２１の厚さ方向における前側の端縁部３７が前後方向において所定の間隔の天井揺れ変位吸収間隙３９を隔てて、左右方向に延在して、配置されている。この天井揺れ変位吸収間隙３９は、建築基準法や技術ガイドライン、建築学会などで「望ましい値」とされる例えば１００ｍｍ程度に設定される。但し、この値は、天井設備物の強度や、天井３３の揺れ幅、天井材１１の衝撃力等によって適宜増減することが好ましい。
【００２７】
［変位吸収間隙塞ぎ部材］
変位吸収間隙塞ぎ部材は、天井設備物であるシャッター装置１５と、天井材１１の端縁部３７との間に、左右方向および前後方向に延在して、天井３３と平行に設けられる。変位吸収間隙塞ぎ部材は、天井揺れ変位吸収間隙３９の拡縮を許容して、天井揺れ変位吸収間隙３９を覆う。
【００２８】
本実施形態において、変位吸収間隙塞ぎ部材は、シート材４１からなる。シート材４１は、布製のスクリーン、あるいは塩化ビニールやウレタン等の軟性樹脂シート、さらにはゴムまたはゴム状物質等を用いることができる。また、防火や防煙等の区画確保に使用する場合には、例えば、難燃性の樹脂シート、シリカクロスまたはガラスクロス、あるいはこれらに耐火被覆材としての耐火塗料や防水被覆材を吹き付け若しくは塗布しまたは含浸させたもの等を好適に用いることができる。さらに、シート材４１は、ワイヤーメッシュ等の補強用の金属あるいは樹脂線材等と組み合わされたものであってもよい。
【００２９】
シート材４１は、天井設備物側縁部４３がシャッター装置１５に固定されるとともに、天井材側縁部４５が天井材１１の端縁部３７に接して天井設備物と天井３３との間に張架されている。より具体的に、天井設備物側縁部４３は、シャッター装置１５に付設されるまぐさ４７に固定される。まぐさ４７は、まぐさ受チャンネル４９と、このまぐさ受チャンネル４９に固定される開口部まぐさ板５１と、を有し、一対のガイドレール２３の間に渡って延在する。なお、ガイドレール２３を挟んで開口部まぐさ板５１と前後方向における反対側、すなわち前側には壁側開口部まぐさ板５３が付設され、すなわちこれら開口部まぐさ板５１と壁側開口部まぐさ板５３とでシャッターカーテン２１の出入口を構成する。
【００３０】
上記したシート材４１の天井設備物側縁部４３は、開口部まぐさ板５１のＬ字状となった先端に、シートクリップ５５によって固定される。まぐさ受チャンネル４９には、開口部まぐさ板５１の反対側である後側に、シート支持板５７が垂設される。上記したシート材４１の天井材側縁部４５は、シート支持板５７の逆Ｔ字状となった先端の一方に、シートクリップ５５によって固定される。シート支持板５７の逆Ｔ字状となった先端の他方には、天井材１１の端縁部３７が重ねられる。つまり、シート材４１は、開口部まぐさ板５１とシート支持板５７との間に前後方向および左右方向に延在して、張架されている。これにより、シート材４１は、シャッター装置１５と端縁部３７との間に天井３３と平行に設けられ、天井揺れ変位吸収間隙３９の拡縮を許容して、天井揺れ変位吸収間隙３９を覆っている。
【００３１】
なお、シート支持板５７の逆Ｔ字状となった先端の他方は、天井材１１の端縁部３７に重ねられているが、天井材１１の重量を支えるわけではない。単に重ねて、オーバーラップしているのみとなる。すなわち、重ね代をとっている。これにより、シート支持板５７と端縁部３７とは、互いに動く状態となっている。
【００３２】
なお、変位吸収間隙塞ぎ部材は、シート材４１の他に、厚みの小さい例えば鋼板等の可撓性を有する板材であってもよい。鋼板は、天井設備物側縁部４３が天井設備物に固定され、天井材側縁部４５が天井材１１の端縁部３７に固定される。このような鋼板の場合、再利用は不能となるが、天井材１１の揺れによる荷重を吸収して変形することで、衝突エネルギーを緩和させ、シャッター装置１５の破損、天井材１１の損壊を抑制することができる。
【００３３】
また、上記したシャッター装置１５における天井揺れ変位吸収間隙３９および変位吸収間隙塞ぎ部材は、一般にシャッター装置１５は左右方向よりも前後方向に多く揺れることが考えられるため、左右方向の幅長は前後方向における幅長よりも大きいことが好ましい。ただし、これに限定されるわけではなく、シャッター装置１５や現場における揺れ特性を考慮して幅長を決定すればよい。また、左右方向の幅長は開閉体であるシャッターカーテン２１の左右方向の長さや左右のガイドレール２３間の長さと同じ（略を含む）長さであることが好ましいが、シャッター装置１５や現場における揺れ特性を考慮して決定すればよく任意である。
【００３４】
次に、上記構成を有する建物天井の構造の作用を説明する。
図３は図１に示した建物天井の構造の動作説明図である。
建物天井の構造では、躯体天面１３に固定されたシャッター装置１５、より詳細にはシャッター装置１５を構成している部材の一つである開口部まぐさ板５１と、天井材１１の端縁部３７が重ねられているシート支持板５７との間に、天井揺れ変位吸収間隙３９が形成されている。地震によって天井材１１からなる天井全体が吊りボルト３１を支点として揺れた際、天井材１１の端縁部３７は、天井揺れ変位吸収間隙３９の間を、シャッター装置１５に対して接近・離反する方向に移動する。つまり、端縁部３７の変位がシャッター装置１５に接近する方向となる場合、天井揺れ変位吸収間隙３９によって吸収されて、端縁部３７のシャッター装置１５に対する衝突が回避可能となっている。
【００３５】
この天井揺れ変位吸収間隙３９は、シート材４１によって覆われている。シート材４１は、天井３３の揺れに伴う天井揺れ変位吸収間隙３９の拡縮を許容可能としている。これにより、天井揺れ変位吸収間隙３９が開放状態となることによる見栄えが低下しにくい。
【００３６】
また、この建物天井の構造において、シート材４１は、剛体である金属板等に比べ可撓性が大きく、且つ比重が小さい。シート材４１は、シャッター装置１５と端縁部３７とに張架された状態であるので、通常時には平面状となって、見栄えが低下しにくい。シート材４１は、地震発生時には、天井材１１の移動に追従して容易に変形が可能となる。すなわち、図３に示すように、天井材１１の移動によって端縁部３７がシート支持板５７を押圧するが、シート支持板３７はその押圧に伴って変形し、そして、シート材４１を撓ませる。シート材４１は天井設備物側縁部４３に対して天井材側縁部４５が接近し、すなわち天井揺れ変位吸収間隙３９の間隔を縮めるが、天井材１１の揺れによるシャッター装置１５側への衝突は避けられることとなる。天井揺れ変位吸収間隙３９の拡縮に追従した後は、再び平面状に戻るので、再利用が可能となる。
このことから、地震発生後に、天井３３が揺れ動くことがあっても、シャッター装置１５側への衝突を回避し、まぐさ４７の変形や、シャッター装置１５の損傷を防ぐとともに、天井材１１を損壊させることも抑えられる。そして、変位吸収間隙塞ぎ部材をシート材４１としたことで、軽量、且つ安価にできる。
【００３７】
［変形例］
以下に、上記実施形態に係る建物天井の構造の種々の変形例を図４〜図８を用いて説明する。なお、以下の各変形例において、図１〜図３に示した部材と同一の部材には同一の符号を付し重複する説明は省略するものとする。
図４は照明装置５９が設けられた変形例に係る建物天井の構造を表す断面図である。
この変形例に係る建物天井の構造は、シート材４１が透明材料または半透明材料からなり、シャッター装置１５にはシート材４１を照明する照明装置５９が取り付けられている。
【００３８】
この建物天井の構造では、シャッター装置１５に取り付けられた照明装置５９が点灯され、シート材４１が裏側から照らされると、照明光がシート材４１を透過し、シート材４１の下面、すなわち天井面と略同一面となったシート材下面を明るくすることができる。これにより、例えば屋内照明の一部として構成したり非常時における避難方向のサイン等を表示させることが可能となる。
その結果、天井揺れ変位吸収間隙３９の有効利用が可能となり、天井３３に例えば非常灯などの明かりを確保できる。
【００３９】
図５は天井設備物を挟み両側に天井３３が設けられる変形例に係る建物天井の構造を表す断面図である。
この変形例に係る建物天井の構造は、シャッター装置１５のガイドレール２３を挟んで図５の左右に、言い換えれば前後方向の両側に天井３３が設けられている。すなわち、屋内空間をシャッターカーテンで区画するシャッター装置１５などの場合である。
シャッター装置１５のそれぞれの天井側には、まぐさ４７とシート支持板５７、及び壁側開口部まぐさ板５３とシート支持板５７が設けられている。まぐさ４７とシート支持板５７との間、及び壁側開口部まぐさ板５３とシート支持板５７との間には、シート材４１が張架されている。
この建物天井の構造では、シャッター装置１５を双方の天井３３が地震により揺れた場合であっても、それぞれの天井３３の変位が、両側の天井揺れ変位吸収間隙３９によって吸収され、それぞれの端縁部３７のシャッター装置１５に対する衝突が回避される。
【００４０】
図６は天井設備物が天井埋込型空調機６１の場合の変形例に係る建物天井の構造を表す断面図である。
この変形例に係る建物天井の構造は、天井設備物が天井埋込型空調機６１となる。天井埋込型空調機６１の周囲、例えば天井面に四角い配設面が表出する場合には各辺である四辺に、天井揺れ変位吸収間隙３９が形成されている。この構造では、開口部まぐさ板６３と、シート支持板６５とは、空調機本体６７に固定される。開口部まぐさ板６３とシート支持板６５との間には、上記と同様のシート材４１が張架されている。なお、上記と同様のまぐさ受チャンネル４９を空調機本体６７の周囲に設けることで、このまぐさ受チャンネル４９を介してシート支持板６５を配設することとしてもよい。
この建物天井の構造では、天井埋込型空調機６１の周囲に天井揺れ変位吸収間隙３９が確保され、天井３３が揺れても、天井材１１の端縁部３７が天井埋込型空調機６１に衝突しにくくなる。これにより、天井材１１による天井埋込型空調機６１の破損、天井材１１の損壊、或いは落下が回避できる。
【００４１】
図７は変位吸収間隙塞ぎ部材が間隙塞ぎ用天井材６９である変形例に係る建物天井の構造を表す断面図である。
この変形例に係る建物天井の構造は、変位吸収間隙塞ぎ部材が天井材１１と同一材料の間隙塞ぎ用天井材６９からなる。間隙塞ぎ用天井材６９は、躯体天面１３やこの躯体天面１３に固定された天井設備物に吊りボルト３１等により支持されて、天井設備物側縁部４３がシャッター装置１５に当接されるとともに、天井材側縁部４５が端縁部３７に摺動自在に重ねられている。
【００４２】
この建物天井の構造では、天井揺れ変位吸収間隙３９が、天井材１１と同一材料からなる間隙塞ぎ用天井材６９によって塞がれる。間隙塞ぎ用天井材６９は、吊りボルト３１によって躯体天面１３や天井設備物に支持される。間隙塞ぎ用天井材６９は、天井設備物側縁部４３が天井設備物に当接した状態で吊り下げられている。一方、間隙塞ぎ用天井材６９の天井材側縁部４５は、天井材１１の端縁部３７に、摺動自在に重ねられている。天井材１１の端縁部３７には、間隙塞ぎ用天井材６９との円滑な摺動を可能とするための摺動板７１等を固定することが好ましい。
これにより、天井材１１が揺れた際には、端縁部３７が、間隙塞ぎ用天井材６９と略平行に摺動し、間隙塞ぎ用天井材６９及び天井材１１が損壊しにくくなる。
その結果、シャッター装置１５の破損、天井材１１の損壊・落下が回避できることに加え、変位吸収間隙塞ぎ部材が、天井材１１と同一材料を用いた間隙塞ぎ用天井材６９となり、違和感を生じにくくして、天井３３の見栄えを良くすることができる。
【００４３】
図８は変位吸収間隙塞ぎ部材がまぐさ延出板部７３である変形例に係る建物天井の構造を表す断面図である。
この変形例に係る建物天井の構造は、変位吸収間隙塞ぎ部材が天井設備物に付設されるまぐさ７５である。まぐさ７５は、天井３３と平行に延出して端縁部３７に摺動自在に重ねられるまぐさ延出板部７３を有している。このまぐさ延出板部７３によって天井揺れ変位吸収間隙３９が覆われている。
【００４４】
この建物天井の構造では、天井設備物に取り付けられるまぐさ７５の一部分が、天井３３と平行に延出してまぐさ延出板部７３となっている。まぐさ延出板部７３の延出端は、天井材１１の端縁部３７に摺動自在に重ねられている。これにより、天井材１１が揺れた際には、端縁部３７がまぐさ延出板部７３と略平行に摺動し、まぐさ７５及び天井材１１が損壊しにくくなる。
その結果、変位吸収間隙塞ぎ部材の設置がまぐさ７５の形状変更で対応可能となり、部材コスト、施工コストを安価にすることができる。
【００４５】
従って、本実施形態及びその変形例に係る建物天井の構造によれば、天井３３の揺れを吸収して、シャッター装置１５などの天井設備物の損傷、天井材１１の損壊・落下を防ぐことができる。
【符号の説明】
【００４６】
１１…天井材
１３…躯体天面
１５…天井設備物（シャッター装置）
３１…吊りボルト
３３…天井
３７…端縁部
３９…天井揺れ変位吸収間隙
４１…変位吸収間隙塞ぎ部材（シート材）
４３…天井設備物側縁部
４５…天井材側縁部
４７…まぐさ
５９…照明装置
６１…天井設備物（天井埋込型空調機）
６９…変位吸収間隙塞ぎ部材（間隙塞ぎ用天井材）
７３…変位吸収間隙塞ぎ部材（まぐさ延出板部）
【図１】
2015086582.tif 000003
【図２】
2015086582.tif 000004
【図３】
2015086582.tif 000005
【図４】
2015086582.tif 000006
【図５】
2015086582.tif 000007
【図６】
2015086582.tif 000008
【図７】
2015086582.tif 000009
【図８】
2015086582.tif 000010